(57)【要約】【課題】  キャビネットの引戸等として用いる窓付き扉体において、窓板の取付けが簡単であり、支持強度が高く、しかも厚さの薄い軽量扉体に適し、コスト低減化も図ることが可能な窓付き扉体を提供する。【解決手段】  扉本体５の表面板６の背面で開口縁８よりやや外側に堰板９を突設し、堰板の一部に切り起こし用の切込１２を形成し、パッキン４は、中央部に内向きに開放した窓板保持溝１４を形成し、保持溝の表側に開口縁を受け入れる外向きに開放した係合溝１５を形成するとともに、裏側に係合溝と同じ向きに開放した固定溝１６を形成し、パッキンの係合溝を表面板の開口縁に嵌合し、裏側から窓板３を保持溝内に位置させる際に、固定溝を裏側へ変形させて堰板に係止可能とし、固定溝を堰板から外して窓板を保持溝内に保持した状態で、堰板の一部を切り起こして固定溝内に挿入する。【選択図】        図３
2009102852.tif 000002
【特許請求の範囲】
【請求項１】
扉本体の開口部に合成樹脂又は合成ゴム製の変形可能なパッキンにて窓板を保持してなる窓付き扉体であって、扉本体の表面板に窓用開口部を形成し、該表面板の背面で開口縁よりやや外側に該開口縁に平行に堰板を突設するとともに、該堰板の一部に切り起こし用の切込を形成し、前記パッキンは、中央部に内向きに開放した窓板保持溝を形成し、該保持溝の表側に前記開口縁を受け入れる外向きに開放した係合溝を形成するとともに、裏側に前記係合溝と同じ向きに開放した固定溝を形成し、前記パッキンの係合溝を表面板の開口縁に嵌合し、裏側から窓板を保持溝内に位置させる際に、前記固定溝を裏側へ変形させて前記堰板に係止可能とし、前記固定溝を前記堰板から外して窓板を保持溝内に保持した状態で、前記堰板の一部を切り起こして前記固定溝内に挿入することを特徴とする窓付き扉体。
【請求項２】
前記パッキンの保持溝と固定溝の境界線に沿って薄肉部を形成し、前記固定溝を保持溝の底面部に対して略直線状に開いて該保持溝を裏側に開放可能とした請求項１記載の窓付き扉体。
【請求項３】
前記パッキンの係合溝を表面板の開口縁に嵌合した状態で、前記保持溝の底面部が前記堰板に当止してなる請求項１又は２記載の窓付き扉体。
【請求項４】
扉本体の開口部に合成樹脂又は合成ゴム製の変形可能なパッキンにて窓板を保持してなる窓付き扉体であって、扉本体の表面板に窓用開口部を形成し、該表面板の背面で開口縁よりやや外側に該開口縁に平行に堰板を突設するとともに、該堰板の一部に切り起こし用の切込を形成し、前記パッキンは、中央部に窓板保持溝となる第１挟持片と裏側へ延びた底面部及び該底面部から薄肉部を介して直線状に延びた第２挟持片を有し、前記第１挟持片の表側に前記開口縁を受け入れる外向きに開放した係合溝を形成するとともに、前記第２挟持片の外側に表側に開放した固定溝を形成し、前記パッキンの係合溝を表面板の開口縁に嵌合し、裏側から窓板を第１挟持片に当接した後、第２挟持片を薄肉部より直角に曲げて前記窓板を挟持した状態で、前記堰板の一部を切り起こして前記固定溝内に挿入することを特徴とする窓付き扉体。
【発明の詳細な説明】
【技術分野】
【０００１】
本発明は、窓付き扉体に係わり、更に詳しくはキャビネットの引戸等として用いる窓付き扉体に関するものである。
【背景技術】
【０００２】
従来から、キャビネットの引戸に窓付き扉体を用いることは公知であり、扉本体の開口部にガラス板やアクリル板等の窓板を保持する構造も各種提供されている。
【０００３】
特許文献１には、弾性材よりなる帯状のエッジ部材の一側端面に、扉体の所定位置に開設した開口の口縁に嵌合すべき取付溝を取付縁間に形成し、他側端にはガラス板保持溝を形成するとともに、当該保持溝を構成する両保持縁の何れか片方を保持溝の溝底の側端に連続することなく当該溝底よりも取付縁方向に離隔させて当該取付縁に一体形成したガラス板の取付構造が開示されている。この場合、ガラス板を取付けるには、先ずエッジ部材の開口の口縁に取付溝を嵌合した後、片方の保持縁を弾性的に変形させて開き、その状態でガラス板をもう片方の保持縁に当止し、それから変形させた保持縁を復元させてガラス板を保持するのである。
【０００４】
特許文献２には、窓用開口の平坦な内周縁に、第１縁枠部材の嵌合溝部を嵌合すると共に、該嵌合溝部よりも外周側の裏面側に設けた掛止部に対して、第２縁枠部材の掛止部が掛止され、該第２縁枠部材の段付き挾持部と、上記第１縁枠部材の裏側壁面との間に、ガラス板の端縁部が挾持される構造が開示されている。
【０００５】
特許文献３には、窓板の周縁部を開口部を有する枠体の開口縁部と窓板取付具とにより挟み込み該窓板を前記枠体に取り付ける構造であって、前記枠体に開口縁に沿って設けられ前記開口部に向かう方向と逆の方向に開口する係合溝及び前記窓板取付具に設けられ前記係合溝に係合する第１係合爪を備える第１係合部と、前記枠体に起立して設けられる起立壁及び前記窓板取付具に設けられ前記起立壁に係合する第２係合爪を備え第１係合部の係合状態の解除を禁止する第２係合部とを設け、これら第１係合部及び第２係合部を機能させることにより枠体に窓板取付具を固定する構造が開示されている。
【０００６】
しかし、特許文献１に記載の構造は、扉本体の表面板とガラス板とが略面一の状態となり、扉体を薄く構成できる利点がある反面、ガラス板をエッジ部材の弾性力のみで保持するので、面外方向からの力によって簡単に変形する。また、特許文献２に記載の構造は、第１縁枠部材と第２縁枠部材の二部材が必要であり、コスト高となるばかりでなく、第１縁枠部材と第２縁枠部材との掛止構造によってガラス板を保持するので、面外方向からの力に対して外れる恐れがある。また、特許文献３に記載の構造は、窓板が直接枠体に接触するので、扉体の開閉時に窓板がガタついたり擦れたりして異音が発生する恐れがあり、ガラス板の保持には不向きである。
【特許文献１】実公昭６３−３７４２９号公報
【特許文献２】特開２００１−９０４４２号公報
【特許文献３】特開２００５−１７１６８８号公報
【発明の開示】
【発明が解決しようとする課題】
【０００７】
そこで、本発明が前述の状況に鑑み、解決しようとするところは、キャビネットの引戸等として用いる窓付き扉体において、窓板の取付けが簡単であり、支持強度が高く、しかも厚さの薄い軽量扉体に適し、コスト低減化も図ることが可能な窓付き扉体を提供する点にある。
【課題を解決するための手段】
【０００８】
本発明は、前述の課題解決のために、扉本体の開口部に合成樹脂又は合成ゴム製の変形可能なパッキンにて窓板を保持してなる窓付き扉体であって、扉本体の表面板に窓用開口部を形成し、該表面板の背面で開口縁よりやや外側に該開口縁に平行に堰板を突設するとともに、該堰板の一部に切り起こし用の切込を形成し、前記パッキンは、中央部に内向きに開放した窓板保持溝を形成し、該保持溝の表側に前記開口縁を受け入れる外向きに開放した係合溝を形成するとともに、裏側に前記係合溝と同じ向きに開放した固定溝を形成し、前記パッキンの係合溝を表面板の開口縁に嵌合し、裏側から窓板を保持溝内に位置させる際に、前記固定溝を裏側へ変形させて前記堰板に係止可能とし、前記固定溝を前記堰板から外して窓板を保持溝内に保持した状態で、前記堰板の一部を切り起こして前記固定溝内に挿入することを特徴とする窓付き扉体を構成した（請求項１）。
【０００９】
ここで、前記パッキンの保持溝と固定溝の境界線に沿って薄肉部を形成し、前記固定溝を保持溝の底面部に対して略直線状に開いて該保持溝を裏側に開放可能とすることが好ましい（請求項２）。
【００１０】
また、前記パッキンの係合溝を表面板の開口縁に嵌合した状態で、前記保持溝の底面部が前記堰板に当止してなることも好ましい（請求項３）。
【００１１】
そして、本発明は、扉本体の開口部に合成樹脂又は合成ゴム製の変形可能なパッキンにて窓板を保持してなる窓付き扉体であって、扉本体の表面板に窓用開口部を形成し、該表面板の背面で開口縁よりやや外側に該開口縁に平行に堰板を突設するとともに、該堰板の一部に切り起こし用の切込を形成し、前記パッキンは、中央部に窓板保持溝となる第１挟持片と裏側へ延びた底面部及び該底面部から薄肉部を介して直線状に延びた第２挟持片を有し、前記第１挟持片の表側に前記開口縁を受け入れる外向きに開放した係合溝を形成するとともに、前記第２挟持片の外側に表側に開放した固定溝を形成し、前記パッキンの係合溝を表面板の開口縁に嵌合し、裏側から窓板を第１挟持片に当接した後、第２挟持片を薄肉部より直角に曲げて前記窓板を挟持した状態で、前記堰板の一部を切り起こして前記固定溝内に挿入することを特徴とする窓付き扉体を構成した（請求項４）。
【発明の効果】
【００１２】
以上にしてなる請求項１に係る発明の窓付き扉体は、パッキンの係合溝を扉本体の表面板の開口縁に嵌合した後、前記固定溝を裏側へ変形させて保持溝を裏側に開放した状態で、該固定溝を堰板に係止することにより、その状態を維持することができるので、裏側から窓板を保持溝内に簡単に位置させることができ、そして前記固定溝を前記堰板から外せば窓板を保持溝内に保持することができ、また前記堰板の一部を切り起こして前記固定溝内に挿入することにより、窓板を保持溝内に確実に保持することができ、更にパッキンの移動も規制することができるので、窓板の取付状態が安定する。しかも、一種類のパッキンのみを用いるのでコスト低減化を図ることができる。
【００１３】
請求項２によれば、パッキンの保持溝と固定溝の境界線に沿って薄肉部を形成することにより、前記固定溝を保持溝の底面部に対して略直線状に開いて該保持溝を裏側に開放することが容易になる。
【００１４】
請求項３によれば、パッキンの係合溝を表面板の開口縁に嵌合した状態で、前記保持溝の底面部が前記堰板に当止することにより、パッキンの移動を確実に規制することができる。
【００１５】
請求項４によれば、パッキンの窓板保持溝は最初から裏側へ開放した状態であるので、パッキンの係合溝を扉本体の表面板の開口縁に嵌合し、裏側から窓板を第１挟持片に簡単に当接することができ、それから第２挟持片を薄肉部より直角に曲げて前記窓板を第１挟持片とで挟持した状態で、前記堰板の一部を切り起こして前記固定溝内に挿入することにより、第２挟持片の復元を規制するとともに、窓板を保持溝内に確実に保持することができる。
【発明を実施するための最良の形態】
【００１６】
次に、添付図面に示した実施形態に基づき、本発明を更に詳細に説明する。図１は、本発明の窓付き扉体を適用したキャビネットの正面図、図２は扉体の背面図、図３及び図４は第１発明を示し、図中符号１はキャビネット、２は扉体、３は窓板、４はパッキンをそれぞれ示している。
【００１７】
本実施形態では、前記キャビネット１は、表面をカラー鋼板を用いて作製し、間口部に３枚連動引戸を設けたものである。ここで、引戸として本発明の窓付き扉体２を用いている。前記扉体２もカラー鋼板で作製してあり、そのため部品の溶接が不可能であるため、溶接可能な裏板に全部品をスポット溶接した後、カラー鋼板の表面板に裏板を貼り合わせる。
【００１８】
更に詳しくは、本実施形態では、前記扉体２は、扉本体５の表面板６に開口部７を形成し、該開口部７に合成樹脂又は合成ゴム製の変形可能なパッキン４にて窓板３を保持したものである。ここで、前記窓板３としては、ガラス板の他にアクリル板等を用いることができ、透明や半透明あるいは色付き等、材質、種類は自由に選択することができる。
【００１９】
更に、前記扉本体５の表面板６の背面には、開口縁８よりやや外側に該開口縁８に平行に堰板９を突設している。具体的には、アングル部材の一方の固定板１０を裏板１１を介して、前記表面板６の背面に接着し、アングル部材の他方の板片である堰板９が裏側を向くのである。そして、前記堰板９には複数箇所に、一部に切り起こし用の切込１２を形成し、この部分が後に切り起こして固定片１３となる。尚、前記表面板６をカラー鋼板で作製しない場合には、該表面板６の裏面に直接、堰板９等の部品をスポット溶接するものとする。
【００２０】
前記パッキン４は、合成樹脂又は合成ゴム製の押出し成形品であり、図３及び図４に示すように、中央部に内向きに開放した窓板保持溝１４を形成し、該保持溝１４の表側に前記開口縁８を受け入れる外向きに開放した係合溝１５を形成するとともに、裏側に前記係合溝１５と同じ向きに開放した固定溝１６を形成したものである。更に、前記パッキン４の保持溝１４と固定溝１６の境界線に沿って薄肉部１７を形成し、前記固定溝１６を保持溝１４の底面部１８に対して略直線状に開いて該保持溝１４を裏側に開放できるようにしている。
【００２１】
次に、前記パッキン４を用いて扉本体５の開口部７に窓板３を装着する手順を図４に基づいて説明する。先ず、図４（ａ）に示すように、前記パッキン４の係合溝１５を、前記扉本体５の開口縁８に嵌合するとともに、前記保持溝１４の底面部１８を前記堰板９に当止する。次に、図４（ｂ）に示すように、前記パッキン４の固定溝１６を、薄肉部１７の位置で屈曲して該固定溝１６を堰板９の先端部に係止し、前記保持溝１４を裏側に開放する。それから、図４（ｃ）に示すように、裏側から前記窓板３の縁部を前記固定溝１６の部分を通過させて前記保持溝１４の位置に当接し、前記固定溝１６を堰板９から外して弾性復元させて保持溝１４内に前記窓板３の縁部を保持する。最後に、図４（ｄ）に示すように、前記堰板９に形成しておいた切込１２の位置で切り起こし、その切り起こした固定片１３を前記固定溝１６内に嵌入して前記保持溝１４が開かないように固定する。
【００２２】
次に、図５に基づいて第２発明を説明する。本発明では、前記パッキン４Ａの初期形状が異なる以外は、前記同様であるので、同一構成には同一符号を付して、その説明は省略する。ここでは、前記パッキン４Ａは、図５（ａ）に示すように、中央部に窓板保持溝１４となる第１挟持片１９と裏側へ延びた底面部１８及び該底面部１８から薄肉部１７を介して直線状に延びた第２挟持片２０を有し、前記第１挟持片１９の表側に前記開口縁８を受け入れる外向きに開放した係合溝１５を形成するとともに、前記第２挟持片２０の外側に表側に開放した固定溝１６を形成したものである。
【００２３】
前記パッキン４Ａを用いて窓板３を扉本体５に装着するには、先ず図５（ｂ）に示すように、パッキン４Ａの係合溝１５を表面板６の開口縁８に嵌合し、裏側から窓板３を第１挟持片に当接する。それから、図５（ｃ）に示すように、第２挟持片２０を薄肉部１７より直角に曲げて前記窓板３を挟持した状態で、前記堰板９に形成しておいた切込１２の位置で切り起こし、その切り起こした固定片１３を前記固定溝１６内に嵌入して前記保持溝１４が開かないように固定する。
【図面の簡単な説明】
【００２４】
【図１】本発明の窓付き扉体を適用したキャビネットの正面図である。
【図２】扉体の背面図である。
【図３】第１発明を示し、（ａ）はパッキンを用いて開口部に窓板を保持した状態の部分断面図、（ｂ）は同じく部分斜視図、（ｃ）はパッキンの断面図である。
【図４】第１発明における窓板の装着手順を示し、（ａ）は扉本体の開口縁にパッキンを嵌合した状態の部分断面図、（ｂ）はパッキンの固定溝を堰板に係止した状態の部分断面図、（ｃ）はパッキンの保持溝内に窓板の縁部を保持した状態の部分断面図、（ｄ）は堰板の一部を切り起こして最終固定した状態の部分断面図である。
【図５】第２発明を示し、（ａ）はパッキンの断面図、（ｂ）は扉本体の開口縁にパッキンを嵌合した状態の部分断面図、（ｂ）はパッキンの保持溝内に窓板の縁部を保持するとともに、堰板の一部を切り起こして最終固定した状態の部分断面図である。
【符号の説明】
【００２５】
１  キャビネット
２  扉体
３  窓板
４  パッキン
４Ａ  パッキン
５  扉本体
６  表面板
７  開口部
８  開口縁
９  堰板
１０  固定板
１１  接着部材
１２  切込
１３  固定片
１４  保持溝
１５  係合溝
１６  固定溝
１７  薄肉部
１８  底面部
１９  第１挟持片
２０  第２挟持片。
【図１】
2009102852.tif 000003
【図２】
2009102852.tif 000004
【図３】
2009102852.tif 000005
【図４】
2009102852.tif 000006
【図５】
2009102852.tif 000007